(57)【要約】【課題】回収物収納部がセット不良に陥っても、これを原因とする回収物の回収ミスを発生し難くすることができる現金回収装置を提供する。【解決手段】券銭分離制御部６８は、各々の硬貨コンテナ袋１６に設けられたシャッタの開閉状態を、シャッタ開閉検出センサ５９から取得する検出信号により把握する。券銭分離制御部６８は、使用状態にある硬貨コンテナ袋１６が満杯になると、その隣の空の硬貨コンテナ袋１６に硬貨収納先を切り換えるが、隣の硬貨コンテナ袋１６がセット不良によりシャッタ閉状態をとることを確認すると、その硬貨コンテナ袋１６を飛ばして、さらにその隣の正常状態の硬貨コンテナ袋１６に硬貨収納先を切り換える。【選択図】図１３
2010079543.tif 000002
【特許請求の範囲】
【請求項１】
運賃箱に投入された現金を蓄積する運賃箱金庫の取り付け先を持ち、当該取り付け先に取り付けられた前記運賃箱金庫から、該金庫に収納された現金を取り込んで回収することが可能で、当該取り付け先に前記運賃箱金庫が取り付けられるごとに当該回収を行って現金を一括回収する現金回収装置において、
回収物の収納先である回収物収納部に、当該回収物収納部に前記回収物を正常に収めることができないセット不良が発生しているか否かを監視する監視手段と、
前記監視手段がセット不良有りを確認した際、当該セット不良に影響を受けた回収作業を行わないように対処動作を実行する制御手段と
を備えたことを特徴とする現金回収装置。
【請求項２】
前記監視手段は、前記回収物収納部の入口を開閉する扉部の開閉状態を監視し、前記回収物収納部が規定位置に取り付いているにも拘わらず前記扉部が閉状態をとっていると、これを前記セット不良とし、
前記制御手段は、前記セット不良を確認した際、他の回収物収納部に前記回収物の収納先を切り換える収納先切換動作を、前記対処動作として実行することを特徴とする請求項１に記載の現金回収装置。
【請求項３】
前記制御手段は、前記セット不良を確認した際、当該セット不良があったことを通知手段によって通知する通知動作を、前記対処動作として実行することを特徴とする請求項１又は２に記載の現金回収装置。
【発明の詳細な説明】
【技術分野】
【０００１】
本発明は、運賃箱の運賃収納先である運賃箱金庫内の運賃や券類を一括回収する現金回収装置に関する。
【背景技術】
【０００２】
従来、路線バスやワンマン運行式鉄道等の車両においては、乗客が支払う運賃や、乗客がどの停留所から乗車したのかの証明である整理券の投入先として運賃箱が車内に設置されている。運賃箱は、運賃として投入された硬貨や紙幣がいくらであるのかを計数処理（計算）し、これら硬貨や紙幣を蓄積しつつ、運賃投入時に運賃とともに投入された整理券も同様に蓄積する。運賃箱には、運賃箱に投入された運賃、整理券、計算総運賃額（金庫データ）の蓄積先として運賃箱金庫が設けられている。この運賃箱金庫は、路線バスや鉄道を運営する会社が管理するターミナルセンタ等でこの金庫内の運賃や整理券をまとめて一括回収できるように、運賃箱の装置本体に対して着脱可能となっている。
【０００３】
ターミナルセンタには、各々の車両で支払われた運賃、即ち各々の運賃箱金庫に収納された運賃を一括回収する精算機が設置されている。この種の精算機の一例は、例えば特許文献１，２等に開示されている。運行終了後、運転者は運賃箱から運賃箱金庫を取り外し、これをターミナルセンサに持ち運ぶ。そして、ターミナルセンタに設置された精算機を起動させ、この精算機に運賃箱金庫をセットして現金回収動作を実行させることにより、運賃箱金庫内の運賃を精算機に回収させる。精算機は、運賃箱金庫内の硬貨、紙幣、整理券を仕分けして、各々対応する硬貨用金庫、紙幣用金庫、整理券収納箱に収納する。
【０００４】
ところで、精算機の硬貨用金庫には、硬貨の収納先として複数の硬貨コンテナ袋（硬貨袋）が設けられている。これら硬貨コンテナ袋は、複数のコンテナ袋のうちの特定の１つが硬貨収納先として選択的に使用され、使用状態にある硬貨コンテナ袋が満杯になると、空の硬貨コンテナ袋に収納先が切り換わり、この動作を順次繰り返して硬貨収納を行う。また、これら硬貨コンテナ袋は、精算機に対して着脱可能とされ、全ての硬貨コンテナ袋が満杯になった後は、硬貨コンテナ袋の収納室扉を鍵により開けて、手作業により空のものに交換可能となっている。
【０００５】
また、この硬貨コンテナ袋には、袋入口を開閉可能なシャッタが設けられている。このシャッタは、全開状態をとるときにはこの開状態が保持されるとともに、全開状態のシャッタを閉状態とする際の操作箇所としてロック部レバーを持っていて、このロック部レバーが操作されると、それまでの全開状態から全閉状態に切り換わる。そして、全閉状態をとったときにはシャッタが施錠状態となり、再度開状態とするには専用のキー（メカニカルキー）での解錠操作が必要となっている。硬貨コンテナ袋を精算機から取り外す際、硬貨コンテナ袋を精算機から取り外す開始タイミングでロック部レバーが精算機の該当箇所に触れて、シャッタがそれまでの開状態から閉状態をとって鍵がかかり、硬貨コンテナ袋を精算機から取り外した後に、この硬貨コンテナ袋から硬貨を勝手に抜き取ることができないようになっている。
【特許文献１】特開平９−１２８５８６号公報
【特許文献２】特開２００７−１２８２２６号公報
【発明の開示】
【発明が解決しようとする課題】
【０００６】
ところで、精算機に硬貨コンテナ袋を取り付ける際、この硬貨コンテナ袋を正規位置に位置決めしようとして硬貨コンテナ袋を位置合わせする作業を行うこともあり、このときに不意にロック部レバーが精算機の該当箇所に触れて、シャッタが閉状態をとってしまう場合もある。このようなセット不良が発生したままで放置すると、シャッタ閉状態をとる硬貨コンテナ袋が硬貨収納先として選択されたとき、回収硬貨がコンテナ袋の内部に収まらず、シャッタの上に順次積み重なる状態をとる。よって、これは硬貨こぼれや硬貨搬送路での硬貨詰まりの発生原因になるので、何らかの対処が必要であった。
【０００７】
本発明の目的は、回収物収納部がセット不良に陥っても、これを原因とする回収物の回収ミスを発生し難くすることができる現金回収装置を提供することにある。
【課題を解決するための手段】
【０００８】
前記問題点を解決するために、本発明では、運賃箱に投入された現金を蓄積する運賃箱金庫の取り付け先を持ち、当該取り付け先に取り付けられた前記運賃箱金庫から、該金庫に収納された現金を取り込んで回収することが可能で、当該取り付け先に前記運賃箱金庫が取り付けられるごとに当該回収を行って現金を一括回収する現金回収装置において、回収物の収納先である回収物収納部に、当該回収物収納部に前記回収物を正常に収めることができないセット不良が発生しているか否かを監視する監視手段と、前記監視手段がセット不良有りを確認した際、当該セット不良に影響を受けた回収作業を行わないように対処動作を実行する制御手段とを備えたことを要旨とする。
【０００９】
この構成によれば、例えば回収物として運賃箱金庫内の現金（例えば硬貨や紙幣等）を回収する際、これの収納先である回収物収納部に正常に硬貨を収めることができないセット不良が回収物収納部に発生しているか否かが監視手段によって監視される。そして、セット不良が確認された際には、このセット不良に影響を受けてしまう回収作業が実行されないように、その対処動作が制御手段によって実行され、この対処動作を経た上で回収物収納部への硬貨収納が実行される。このため、もし仮に回収物収納部にセット不良が発生していても、このセット不良に影響を受けてしまう回収作業が実行されないので、セット不良が原因で生じる回収物の回収ミスの発生を少なく抑えることが可能となる。
【００１０】
本発明では、前記監視手段は、前記回収物収納部の入口を開閉する扉部の開閉状態を監視し、前記回収物収納部が規定位置に取り付いているにも拘わらず前記扉部が閉状態をとっていると、これを前記セット不良とし、前記制御手段は、前記セット不良を確認した際、他の回収物収納部に前記回収物の収納先を切り換える収納先切換動作を、前記対処動作として実行することを要旨とする。
【００１１】
この構成によれば、回収物収納部の種類によっては、例えば回収物収納済みの回収物収納部が現金回収装置から取り外される際、その取り外し過程で開状態の扉部が全閉施錠状態をとって、回収物収納部に収められた回収物の勝手な抜き取りが防止されるものもある。ところで、回収物収納部にこのような扉構造を持たせた場合、例えば回収物収納部を現金回収装置に取り付けた際、回収物収納部がその規定位置に位置するにも拘わらず、意図せずに扉部が閉状態をとってしまうセット不良が発生する可能性も否めない。しかし、本構成の場合、回収物収納部の扉部が閉状態をとっているときには、この回収物収納部を収納先として使用不可とし、それ以外の回収物収納部が硬貨収納先として使用される。このため、扉部が閉状態をとってしまっている回収物収納部に回収物が送られないので、扉部が閉状態のままをとることを原因とする回収ミスを防止することが可能となる。
【００１２】
本発明では、前記制御手段は、前記セット不良を確認した際、当該セット不良があったことを通知手段によって通知する通知動作を、前記対処動作として実行することを要旨とする。
【００１３】
この構成によれば、回収物収納部にセット不良が発生した場合には、セット不良があったことが通知手段によって通知、即ちアナウンスされる。このため、回収物収納部にセット不良が発生していることをユーザに気付かせることが可能となり、セット不良の解消作業をユーザに実行させることが可能となる。よって、セット不良が発生したまま回収動作が行われるのではなく、これが解消された後に回収作業が実行されるので、回収ミスを防止することが可能となる。
【発明の効果】
【００１４】
本発明によれば、回収物収納部がセット不良に陥っても、これを原因とする回収物の回収ミスを発生し難くすることができる。
【発明を実施するための最良の形態】
【００１５】
（第１実施形態）
以下、本発明を具体化した現金回収装置の第１実施形態を図１〜図１３に従って説明する。
【００１６】
図１に示すように、路線バスやワンマン鉄道等の車両の車内には、運賃（硬貨、紙幣）や券類（整理券、回数券等）の投入先として運賃箱１が設置されている。運賃箱１には、運賃箱１に投入された運賃（硬貨、紙幣）や券類（整理券、回数券）の収納先として運賃箱金庫２が着脱可能に取り付けられている。運賃箱金庫２は、例えば箱形状をなすとともに、硬貨、整理券及び回数券を混在して収納する硬貨収納室３と、紙幣のみを収納する紙幣収納室４とが区画形成されている。運賃箱金庫２は、硬貨収納室３が硬貨収納室シャッタ５により開閉可能で、紙幣収納室４が紙幣収納室シャッタ６により開閉可能であって、運賃箱１から取り外された際にシャッタ５，６が閉じられてこれらが施錠される。
【００１７】
また、路線バスやワンマン鉄道等を管理する会社のターミナルセンタ７には、各々の運賃箱金庫２に蓄積された運賃や券類を一括収納する精算機（解錠器）８が設置されている。この精算機８は、自身にセットされた運賃箱金庫２を解錠してこの金庫２内の硬貨、紙幣及び券類を取り込み、これらを硬貨、紙幣、券類の各々に仕分けして個別の収納先に蓄積する選別収納型となっている。そして、精算機８は、この選別回収を、自身にセットされる運賃箱１ごとに行うことにより、複数の運賃箱金庫２内の硬貨、紙幣及び券類を一括回収する。なお、精算機８が現金回収装置に相当する。
【００１８】
精算機８の前面上部には、運賃箱金庫２のセット先として箱形状に開口した運賃箱金庫収納室９が精算機本体１０の幅方向（図１のＸ軸方向）に並んで複数（本例は２つ）設けられている。運賃箱金庫２は、運賃箱金庫収納室９にセットする際、運賃箱１のときの取り付け状態に対して、上下反転させた向きで取り付けられる。これは、硬貨収納室３に収納された硬貨及び券類を自重により落下させられるように、精算機８の硬貨及び券類の取り込み口１１が上を向いて設けられているからである。これら取り込み口１１，１２には、入口をそれぞれ開閉するシャッタ１３，１４が設けられている。また、運賃箱金庫収納室９ａに先入れした運賃箱金庫２ａで回収動作が行われている際に、空いている側の運賃箱金庫収納室９ｂに運賃箱金庫２ｂがセットされた場合には、後入れの運賃箱金庫２ｂを待機状態にし、先入れの運賃箱金庫２ａの回収動作が完了した後に、後入れの運賃箱金庫２ｂの回収動作が開始される。なお、運賃箱金庫収納室９が取り付け先に相当する。
【００１９】
精算機８の下部裏面寄りの位置には、精算機８で一括回収する硬貨の収納先として硬貨用金庫１５が設けられている。硬貨用金庫１５は、袋状をなした複数（本例は８つ）の硬貨コンテナ袋１６からなり、精算機本体１０の下部に設けられた硬貨用金庫収納室１７に着脱可能に収納されている。硬貨コンテナ袋１６は、本例のように８個の場合、１列に４個が略直列に並んだ２列で配置されている。これら硬貨コンテナ袋１６は、複数のコンテナ袋１６のうちの特定の１つが硬貨収納先として選択的に使用され、使用状態にある硬貨コンテナ袋１６が満杯になると、空の硬貨コンテナ袋１６に収納先が切り換わり、この動作を順次繰り返して硬貨収納を行う。硬貨用金庫収納室１７は、精算機本体１０の裏面に取り付けられた横開き式の硬貨用金庫収納室扉１８によって開閉可能であり、硬貨コンテナ袋１６が精算機８の裏面側から出し入れ可能となっている。なお、硬貨コンテナ袋１６が回収物収納部に相当する。
【００２０】
精算機８の下部前面寄りの位置には、精算機８で一括回収する紙幣の収納先として紙幣用金庫１９が設けられている。紙幣用金庫１９は、キャスタ付きのボックス形状をとり、精算機本体１０の下部に設けられた紙幣用金庫収納室２０に着脱可能に収納されている。紙幣用金庫収納室２０は、精算機本体１０の前面に設けられた横開き式の紙幣用金庫収納室扉２１によって開閉可能であり、紙幣用金庫１９が前面側から出し入れ可能となっている。
【００２１】
また、精算機８の下部前面寄りの位置には、精算機８で一括回収する券類の収納先として券類用金庫２２が設けられている。券類用金庫２２は、紙幣用金庫１９と同様にキャスタ付きのボックス形状をとり、精算機本体１０の下部に設けられた券類用金庫収納室２３に着脱可能に収納されている。券類用金庫収納室２３は、精算機本体１０の前面に設けられた横開き式の券類用金庫収納室扉２４によって開閉可能であり、券類用金庫２２が前面側から出し入れ可能となっている。
【００２２】
図２及び図３に示すように、精算機８には、運賃箱金庫２から硬貨及び券類の取り込み口１１を介して流れ込んできた硬貨と券類とを別々に分離する券銭分離装置２５が設けられている。この券銭分離装置２５は、例えば回転動作する円筒形状のドラム２６（図３参照）の内部に硬貨と券類とを通してこれらを分離するドラム式をとっている。ドラム２６は、駆動ベルト２７を介してモータ２８に連結され、このモータ２８の回転力を駆動源として回転動作する。券銭分離装置２５で券類から分離された硬貨は、筒状の硬貨シュート２９（図２参照）を介して硬貨用金庫１５に搬送される。また、券銭分離装置２５で硬貨から分離された券類は、筒状の券類シュート３０を介して券類用金庫２２に搬送される。さらに、運賃箱金庫２から紙幣の取り込み口１２を介して精算機本体１０に流れ込んできた紙幣は、筒状の紙幣シュート３１を介して紙幣用金庫１９に搬送される。
【００２３】
図３に示すように、ドラム２６の下方位置には、複数の硬貨コンテナ袋１６の中から分類後の硬貨の収納先を指定する硬貨収納先切換機構３２が設けられている。この硬貨収納先切換機構３２では、硬貨シュート２９が途中で２分割されている。即ち、硬貨シュート２９には、同シュートの上流側硬貨通路を形成しつつ精算機本体１０に対して固定状態をとる硬貨導入部３３と、同シュート２９の下流側硬貨通路を形成しつつ精算機本体１０に対して回動動作が可能なアーム部３４とが設けられている。アーム部３４は、鉛直方向（図３の矢印Ａ方向）に延びる筒部材が途中で斜め下に曲がった形状をなし、上部に位置するとともに回動軸をなす第１筒部３４ａと、下部に位置するとともに途中で経路が折れ曲がった形状をとる第２筒部３４ｂとからなる。
【００２４】
アーム部３４の下方位置には、同アーム部３４の回動駆動源としてモータ３５が設けられている。このモータ３５は、自身のモータ軸３５ａが連結部３６を介してアーム部３４に連結され、アーム部３４を第１筒部３４ａの軸回りに回動させる。また、アーム部３４の下方位置には、アーム部３４から吐き出された硬貨を硬貨コンテナ袋１６に案内する硬貨ガイド部材３７が設けられている。この硬貨ガイド部材３７は、アーム部３４が回動動作をとりつつ、一方で硬貨コンテナ袋１６が真っ直ぐに並んだ２列の配置をとっていても、アーム部３４から吐き出される硬貨が硬貨コンテナ袋１６に流入することを許容するための部材である。硬貨ガイド部材３７は、各々の硬貨コンテナ袋１６ごとに設けられた複数の案内筒３８と、これら案内筒３８を支持する１枚の取付板３９とからなる。
【００２５】
硬貨コンテナ袋１６の硬貨収納先の切り換えは、使用状態にある硬貨コンテナ袋１６が満杯になると、そのモータ回転方向において隣に位置する空の硬貨コンテナ袋１６に硬貨収納先が切り換わる。そして、硬貨コンテナ袋１６が満杯になる度にこの動作が繰り返され、セットされた全ての硬貨コンテナ袋１６を使用し切るまで、硬貨収納が可能となっている。
【００２６】
図４〜図６に示すように、硬貨用金庫収納室１７には、硬貨コンテナ袋１６の取り付け先として、レール部４０が精算機本体１０の幅方向に複数（本例は４組）並んで設けられている。本例のレール部４０は、上下に並ぶ２組の案内レール４１，４２からなり、これら案内レール４１，４２が精算機本体１０の奥行き方向（図１のＹ軸方向）に沿って平行に延びている。各々のレール部４０は、これら上下の案内レール４１，４２の一方のレール奥と他方のレール手前とに、計２個の硬貨コンテナ袋１６が取り付け可能となっている。本例の案内レール４１，４２は、下側案内レール４１が奥まで延びる形状をとり、上側案内レール４２はその途中までの長さとなっている。このため、下側案内レール４１に奥側硬貨コンテナ袋１６ａ（図７及び図８参照）が取り付けられ、上側案内レール４２に手前側硬貨コンテナ袋１６ｂ（図９及び図１０参照）が取り付けられる。また、案内レール４１，４２は、レール溝が互いに対向する向きをとった一対のレール部品からなる。
【００２７】
また、図７〜図１０に示すように、硬貨コンテナ袋１６（１６ａ，１６ｂ）の袋本体４３には、この袋本体４３の上部の金具４３ａに、金属製の上蓋４４が取り付けられている。この上蓋４４の奥寄りの位置には、硬貨コンテナ袋１６の内部への硬貨の入口として略四角形状の袋入口４５が貫設されている。券銭分離装置２５で券類から分離されて硬貨シュート２９を通ってきた硬貨は、硬貨ガイド部材３７の案内筒３８を経由して、この袋入口４５から硬貨コンテナ袋１６の袋本体４３に入り込む。また、この上蓋４４の手前面には、硬貨コンテナ袋１６をレール部４０に抜き挿しするときの把持部として取手４４ａが設けられている。なお、袋入口４５が入口に相当する。
【００２８】
さらに、硬貨コンテナ袋１６の上蓋４４には、袋入口４５を開閉する金属製で板状のシャッタ４６が設けられている。シャッタ４６は、硬貨コンテナ袋１６をレール部４０に対して抜き差しする際のその着脱方向に沿って往復動可能なスライド式をとり、シャッタ４６が完全に閉じ切った閉位置（図７及び図９の状態）と、シャッタ４６が完全に開き切った開位置（図８及び図１０の状態）との２位置をとる。また、シャッタ４６は、閉状態をとる際、内部のロック機構（図示略）が働いて施錠状態をとり、手で開操作しようとしても、これが不可となる。また、硬貨コンテナ袋１６の金具４３ａの手前面には、シャッタ４６の解錠用のキーシリンダ４７が設けられている。シャッタ４６は、閉位置で施錠状態をとる際、キーシリンダ４７にメカニカルキーが挿し込まれてキーシリンダ４７が回し操作されると、内部のロック機構が外れて解錠状態となり、シャッタ４６の開操作が許可される。なお、シャッタ４６が扉部に相当する。
【００２９】
硬貨コンテナ袋１６の内部には、シャッタ４６の幅方向（図７の矢印Ｂ１方向）の両側端縁に、シャッタ４６の往復動作を案内する一対のシャッタガイド板４８，４８（図７参照）が設けられている。これらシャッタガイド板４８，４８は、長細い板形状をとるとともに、硬貨コンテナ袋１６（上蓋４４）の上壁であるベース板４９に、所定の隙間を開けて取り付けられ、この隙間にシャッタ４６が挿し込まれた取り付け状態をとる。シャッタ４６は、両側がシャッタガイド板４８，４８によって支持されつつ、硬貨コンテナ袋１６の長さ方向（図７の矢印Ｂ２方向）に沿った往復移動が許容されている。
【００３０】
また、上蓋４４の側端寄りの位置には、開状態をとっているシャッタ４６を閉状態に切り換えるときの操作箇所としてロック部レバー５０が設けられている。即ち、シャッタ４６は、開位置に位置した際、内部のラッチ機構（図示略）が働いてシャッタ４６の全開状態が保持されるが、シャッタ４６が開状態のときにロック部レバー５０が操作されると、内部のラッチ機構が解除されて、シャッタ４６がバネ等の付勢部材の付勢力により閉じ側にスライド移動して、閉状態に切り換わる。そして、シャッタ４６が全閉状態をとると、内部のロック機構が働いてシャッタ４６が施錠状態となる。
【００３１】
よって、精算機８に硬貨コンテナ袋１６をセットする際には、硬貨コンテナ袋１６のシャッタ４６を開状態として、硬貨コンテナ袋１６をレール部４０に取り付ける。これにより、硬貨コンテナ袋１６がレール部４０にセット状態をとる際、袋入口４５が開状態をとり、硬貨シュート２９から流れ落ちてきた硬貨が硬貨コンテナ袋１６に入り込むことが可能となる。また、硬貨コンテナ袋１６を精算機８から取り出す際には、硬貨コンテナ袋１６のその抜取過程で、ロック部レバー５０が精算機本体１０側のレバー押込部５１に押され、それまでシャッタ４６を開状態で維持していたラッチ機構が外れて、シャッタ４６が閉じ、閉状態で施錠される。このため、硬貨コンテナ袋１６を精算機８から取り外した後に、この硬貨コンテナ袋１６から硬貨を勝手に抜き取ることが防止される。
【００３２】
シャッタ４６の挿込方向先端位置には、閉状態のシャッタ４６を開操作するときの指の引っ掛け箇所として引掛部５２が折り曲げ形成されている。また、袋入口４５の周縁において挿込方向側の辺には、周囲より一段凹んだ状態で切欠溝５３が形成されている。シャッタ４６は、全閉状態をとった際、引掛部５２がこの切欠溝５３に収納された状態をとる。また、袋入口４５の周縁においてシャッタ４６の抜取方向側の辺にも、シャッタ４６が全開状態をとるときに嵌る溝箇所として切欠溝５４が形成されている。
【００３３】
また、硬貨コンテナ袋１６の金具４３ａの両側面には、案内レール４１，４２への取り付け箇所として、硬貨コンテナ袋１６の奥行き方向に沿って延びる一対の係止部５５，５５が延設されている。硬貨コンテナ袋１６は、これら係止部５５，５５が案内レール４１，４２のレール溝に引っ掛かってぶら下がる取り付け状態をとる。また、これら係止部５５，５５は、奥側硬貨コンテナ袋１６ａの係止部５５ａが低い位置に配置され、手前側硬貨コンテナ袋１６ｂの係止部５５ｂが高い位置に配置されている。このため、案内レール４１，４２が奥と手前とで高さが異なっていても、この高さ違いが係止部５５ａ，５５ｂによって吸収され、レール部４０への取り付けの際には、これら硬貨コンテナ袋１６ａ，１６ｂが上面面一の状態で精算機８にセットされる。
【００３４】
これら係止部５５ａ，５５ｂは、係止部５５ａが幅狭に形成され、係止部５５ｂが幅広に形成されている。一方、案内レール４１，４２も、これら係止部５５ａ，５５ｂの幅に合わせて、上側案内レール４２が幅狭に形成され、下側案内レール４１が幅広に形成されている。このため、奥側硬貨コンテナ袋１６ａは上側案内レール４２に取り付けることができず、奥側硬貨コンテナ袋１６ａのセット間違いが防止される。また、手前側硬貨コンテナ袋１６ｂを下側案内レール４１に取り付けた際には、幅の違いからガタが生じ、これを以て取り付け間違いが認識可能となる。
【００３５】
また、奥側硬貨コンテナ袋１６ａの金具４３ａの手前面には、周囲から所定量だけ飛び出した座部５６が突設されている。この座部５６には、硬貨コンテナ袋１６の幅方向に沿って並ぶ一対の位置決め穴５７が凹設されている。一方、奥側硬貨コンテナ袋１６ａ及び手前側硬貨コンテナ袋１６ｂの両者とも金具４３ａの奥面には、硬貨コンテナ袋１６の幅方向に沿って並ぶ一対の位置決め突部５８が突設されている。手前側硬貨コンテナ袋１６ｂの突部５８ｂは、奥側硬貨コンテナ袋１６ａの突部５８ａよりも高い位置に配置され、レール部４０にセット状態をとるときに、正面の奥側硬貨コンテナ袋１６ａの位置決め穴５７に嵌り込み可能となっている。
【００３６】
ここで、図１１に示すように、硬貨コンテナ袋１６ａ，１６ｂが正しい組み合わせで案内レール４１，４２にセットされると、奥側硬貨コンテナ袋１６ａの位置決め穴５７に、その後ろの手前側硬貨コンテナ袋１６ｂの突部５８ｂが嵌り込み、手前側硬貨コンテナ袋１６ｂが硬貨用金庫収納室１７からはみ出さず、硬貨用金庫収納室扉１８を閉じることが可能となる。一方、間違えて下側案内レール４１に奥側硬貨コンテナ袋１６ａを２つ取り付けてしまった場合には、高さ位置の関係から後ろの奥側硬貨コンテナ袋１６ａの突部５８ａが正面の奥側硬貨コンテナ袋１６ａの位置決め穴５７に嵌り込まず、突部５８ａの長さ分だけ、後ろの奥側硬貨コンテナ袋１６ａが硬貨用金庫収納室１７からはみ出す。これにより、硬貨用金庫収納室扉１８を閉めることができず、硬貨コンテナ袋１６のセット間違いに気付くことが可能となっている。
【００３７】
また、図６に示すように、精算機本体１０には、レール部４０にセットされた硬貨コンテナ袋１６のシャッタ開閉、即ち硬貨コンテナ袋１６におけるセット不良の有無を検出するシャッタ開閉検出センサ５９が硬貨コンテナ袋１６ごとに複数（本例は８つ）設けられている。シャッタ開閉検出センサ５９は、例えば光学式をとる場合、フォトインタラプタが使用されるとともに、レール部４０の上部位置、即ちセット状態にある硬貨コンテナ袋１６の上方位置に配置されている。なお、シャッタ開閉検出センサ５９が監視手段を構成する。
【００３８】
一方、図７〜図１０に示すように、硬貨コンテナ袋１６の上蓋４４には、シャッタ開閉検出センサ５９と対向する位置に、シャッタ開閉検出センサ５９から照射される光の反射箇所として光反射部６０が設けられている。この光反射部６０は、上蓋４４を刳り抜いて通し孔６１が貫設されるとともに、この通し孔６１で露出する部位を例えば黒色等の塗料で塗布することにより光反射抑制部６２が形成されている。そして、光反射部６０は、シャッタ４６が開状態をとると、このシャッタ４６で光反射抑制部６２が隠れる状態をとり、シャッタ４６が閉状態をとると、シャッタ４６が被さる状態が解消されて、光反射部６０が外部に露出する状態をとる。
【００３９】
ここで、シャッタ４６が開状態をとるとき、光反射部６０の光反射係数（光反射度合い）は金属製（ステンレス製）のシャッタ４６に寄ることになるので、光反射部６０の反射光の輝度は高くなる。一方、シャッタ４６が閉状態をとるとき、光反射部６０の光反射係数（光反射度合い）は光反射抑制部６２に寄ることになるので、光反射部６０の反射光の輝度は低くなる。よって、シャッタ開閉検出センサ５９は、光反射部６０から受け取る反射光の輝度を見てシャッタ４６の開閉を検出し、例えば高輝度の反射光を検出すればシャッタ４６が開状態であることを検出し、低輝度の反射光を検出すればシャッタ４６が閉状態であることを検出する。
【００４０】
また、図６に示すように、各案内レール４１，４２には、レール部４０の規定位置への硬貨コンテナ袋１６のセット有無を検出する硬貨コンテナ袋セット検出センサ６３が硬貨コンテナ袋１６ごとに複数（本例は８つ）設けられている。硬貨コンテナ袋セット検出センサ６３は、例えば光学式をとる場合、例えばフォトインタラプタからなる。硬貨コンテナ袋セット検出センサ６３は、案内レール４１，４２に硬貨コンテナ袋１６がセットされて対向位置に位置した際、この硬貨コンテナ袋１６によって高輝度の光が反射されるので、この反射光の輝度を以て、硬貨コンテナ袋１６のセット有無を検出する。
【００４１】
図１２に示すように、精算機本体１０の裏面には、例えば液晶ディスプレイからなる表示部６４が設けられている。この表示部６４には、各種入力画面やエラーメッセージ等の他に、最大８個取り付け可能な硬貨コンテナ袋１６に対して何個を使用する動作モードで回収動作を実行するのかを決めた設定数（例えば、２個、４個、６個の偶数設定）を絵柄表示したり、或いは絵柄表示した硬貨コンテナ袋１６のうち使用状態にあるものを異なる色で強調表示したりする。また、表示部６４の下方位置には、精算機８の入力系として入力部６５が設けられている。この入力部６５は、例えば数字ボタン、上下左右ボタン、実行ボタン、取消ボタン等の各種ボタンからなり、精算機８の動作状態（例えば、硬貨コンテナ袋１６の設定数）を設定するときに操作される。なお、表示部６４が通知手段に相当する。
【００４２】
図１３に示すように、精算機８には、この精算機８を統括制御するコントロールユニットとしてメイン制御部６６が設けられている。このメイン制御部６６は、運賃箱金庫収納室９に運賃箱金庫２がセットされた際、運賃箱金庫２のメモリ６７に記録された金庫データを取得し、運賃箱金庫２に収納された硬貨枚数、硬貨金額、紙幣枚数、紙幣金額等を把握する。なお、この金庫データには、収納硬貨の総枚数及び総金額として硬貨データと、収納紙幣の総枚数及び総金額として紙幣データとが含まれている。そして、メイン制御部６６は、セットされた運賃箱金庫２ごとに得た金庫データを集計して、精算機８で一括回収した総硬貨枚数、総紙幣枚数、総金額等を把握する。また、メイン制御部６６は、計算した総硬貨枚数から、使用状態にある硬貨コンテナ袋１６にまだ空きがあるか否かも監視し、空きがないときには硬貨収納先切換機構３２に硬貨収納先切り換えを実行させる。
【００４３】
メイン制御部６６には、券銭分離装置２５を統括制御するコントロールユニットとして券銭分離制御部６８が接続されている。この券銭分離制御部６８は、メイン制御部６６から券銭分離装置２５の起動指令を受けたとき、モータ２８の駆動を開始して券銭分離装置２５に券銭分離動作を実行させる。また、券銭分離制御部６８は、使用状態にある硬貨コンテナ袋１６が満杯になってメイン制御部６６から硬貨収納先切換指令を受け付けると、モータ３５を回転して収納先切換動作を実行し、モータ回転方向隣の空の硬貨コンテナ袋１６に硬貨収納先を切り換える。なお、メイン制御部６６が制御手段を構成し、券銭分離制御部６８が監視手段及び制御手段を構成する。また、シャッタ４６が閉状態をとってしまっている硬貨コンテナ袋１６を回収先から飛ばす収納先切換動作が対処動作を構成する。
【００４４】
また、券銭分離制御部６８には、入力側にシャッタ開閉検出センサ５９及び硬貨コンテナ袋セット検出センサ６３が接続され、出力側にモータ３５が接続されている。券銭分離制御部６８は、シャッタ開閉検出センサ５９から取得する検出信号を基に、各硬貨コンテナ袋１６におけるシャッタ４６の開閉状態を監視する。そして、券銭分離制御部６８は、メイン制御部６６から硬貨収納先切換指令を受けてモータ３５により硬貨収納先を切り換える際、シャッタ４６が閉状態のままの硬貨コンテナ袋１６を発見すると、この硬貨コンテナ袋１６を使用不可とみなして硬貨収納先から飛ばし、次の使用可能な硬貨コンテナ袋１６に硬貨収納先を切り換える。また、券銭分離制御部６８は、硬貨コンテナ袋セット検出センサ６３から取得する検出信号を基に、硬貨コンテナ袋１６が設定数に準じた規定位置にセットされているか否かを監視する。券銭分離制御部６８は、設定数に準じた規定位置に硬貨コンテナ袋１６がセットされていないことを確認すると、表示部６４に設置間違えを表示する。
【００４５】
さらに、メイン制御部６６には、表示部６４の表示制御を実行する表示制御部６９が接続されている。表示制御部６９は、入力部６５で実行された入力操作に応じた各種画面（メッセージ）や、メイン制御部６６から得た種々の指令に基づく各種画面（メッセージ）を表示する。精算機８が起動状態（回収動作実行時も含む）をとる際、表示部６４には、図１２に示すような、各硬貨コンテナ袋１６がその並び順で絵柄表示された動作画面７０が表示される。なお、表示制御部６９が制御手段を構成する。
【００４６】
次に、本例の精算機８が運賃箱金庫２内の運賃（硬貨、紙幣）や券類を回収する際の動作を説明する。
精算機８で運賃箱金庫２内の現金や券類の回収を行うに際しては、精算機８に電源を投入して精算機８を立ち上げた状態、即ち券銭分離装置２５のドラム２６を回動状態にする。そして、開いている硬貨用金庫収納室１７に運賃箱金庫２をセットする。このとき、メイン制御部６６は、運賃箱金庫２のコネクタ７１が精算機８のコネクタ７２に完挿し接続状態となると、これらコネクタ７１，７２を介して、その時にセット状態にある運賃箱金庫２に金庫データ転送要求を出力する。なお、完挿し状態の検出は、例えばこれら２者のコネクタ７１，７２の所定の接続ピン同士が通電状態になったか否かを見ることによって行う。
【００４７】
運賃箱金庫２は、メイン制御部６６から金庫データ転送要求を受け付けると、自身のメモリ６７に書き込まれている金庫データを読み出し、この金庫データをメイン制御部６６に転送する。メイン制御部６６は、運賃箱金庫２から金庫データを取得すると、この金庫データに含まれる硬貨データを読み取り、このときに運賃箱金庫収納室９にセットされている運賃箱金庫２の中に、何枚の硬貨が収納されているのかを確認する。メイン制御部６６は、この金庫内収納硬貨枚数の確認を、運賃箱金庫収納室９に運賃箱金庫２がセットされる度に実行する。そして、メイン制御部６６は、この硬貨枚数を随時加算していくことにより、精算機８で受け付けた硬貨の総枚数を把握する。
【００４８】
メイン制御部６６は、運賃箱金庫２から収納硬貨枚数を確認した際、そのときに使用状態にある硬貨コンテナ袋１６の空き容量で、硬貨収納が足りるか否かを確認する。即ち、使用状態にある硬貨コンテナ袋１６の収納硬貨枚数の合計が割り出されているので、この合計枚数に、これから投入される硬貨枚数を足し、この加算値が硬貨コンテナ袋１６の最大収納量を超えるか否かを見ることにより、そのときに使用状態にある硬貨コンテナ袋１６の空き容量が足りるか否かを確認する。メイン制御部６６は、硬貨コンテナ袋１６の空き容量が足りることを確認すると、そのときに使用状態にある硬貨コンテナ袋１６を、そのまま継続して使用する。そして、この確認の後、シャッタ５，６，１３，１４が開状態とされて運賃箱金庫２内の硬貨、紙幣、券類が精算機８の内部に流し込まれ、これらが分離されて各々の収納先に搬送される。
【００４９】
一方、メイン制御部６６は、使用状態にある硬貨コンテナ袋１６の空き容量の確認の際、空き容量が足りないことを認識すると、収納先切換指令を券銭分離制御部６８に出力する。券銭分離制御部６８は、メイン制御部６６から収納先切換指令を受け付けると、硬貨収納先の硬貨コンテナ袋１６を、モータ３５の回転方向隣のものに切り換える収納先切換動作に入る。このとき、メイン制御部６６は、切り換え先の硬貨コンテナ袋１６のシャッタ開閉検出センサ５９の検出信号を確認し、シャッタ４６が開状態をとっていれば、その硬貨コンテナ袋１６を使用可とみなして、硬貨収納先をこの硬貨コンテナ袋１６に設定する。
【００５０】
一方、券銭分離制御部６８は、このシャッタ開閉状態の確認の際、切り換わり先の硬貨コンテナ袋１６のシャッタ４６が閉状態になっていることを検出すると、この硬貨コンテナ袋１６を使用不可とみなして、更にその隣の硬貨コンテナ袋１６に硬貨収納先を切り換える。そして、券銭分離制御部６８は、シャッタ４６が開状態となっている硬貨コンテナ袋１６に行き着くまでこの動作を繰り返し、硬貨収納先を、シャッタ４６が開状態となっている硬貨コンテナ袋１６に至らせる。そして、この硬貨収納先の切り換え後、シャッタ５，６，１３，１４が開状態とされて運賃箱金庫２内の硬貨、紙幣、券類が精算機８の内部に流し込まれて、これらは分類後に指定の収納先に搬送される。
【００５１】
さて、本例においては、使用状態にある硬貨コンテナ袋１６が満杯になって隣の空の硬貨コンテナ袋１６に硬貨収納先を切り換える際、その切り換え先の硬貨コンテナ袋１６のシャッタ４６が閉状態をとっていないか否か確認する。そして、確認先の硬貨コンテナ袋１６が閉状態をとってセット不良となっている場合には、この硬貨コンテナ袋１６を使用不可とみなして収納先を１つ飛ばし、更に隣のシャッタ４６が正常に開状態をとる硬貨コンテナ袋１６を硬貨収納先として使用する。このため、シャッタ４６が閉状態をとってしまっているセット不良状態の硬貨コンテナ袋１６が硬貨収納先とならないので、シャッタ４６が閉状態をとる硬貨コンテナ袋１６に硬貨が流れ込まずに済む。よって、シャッタ４６の上に硬貨が積み重なる状況が生じず、この硬貨の積み重なりによって生じ得ていた硬貨こぼれや硬貨搬送経路における硬貨詰まりなどの諸問題が発生せずに済む。
【００５２】
本実施形態の構成によれば、以下に記載の効果を得ることができる。
（１）使用状態の硬貨コンテナ袋１６が満杯となって次の隣の硬貨コンテナ袋１６に硬貨収納先を切り換える際、隣の硬貨コンテナ袋１６のシャッタ４６が閉状態をとっていれば、これを硬貨収納先から飛ばして、正常にシャッタ４６が開状態をとる更に隣の硬貨コンテナ袋１６に硬貨収納先が切り換えられる。このため、シャッタ４６が閉状態をとってしまっている硬貨コンテナ袋１６が硬貨収納先として設定されないので、シャッタ４６が閉状態をとる硬貨コンテナ袋１６に硬貨が流れ込まずに済む。よって、閉状態のシャッタ４６の上に硬貨が積み重なることを原因とする硬貨こぼれや硬貨搬送経路の詰まり等の諸問題を発生し難くすることができる。
【００５３】
（２）シャッタ４６の施錠構造には、ロック部レバー５０の操作に連動してシャッタ４６が閉動作をとりつつ施錠状態となる機械式が採用されている。ところで、シャッタ４６にこの種の機械式の施錠構造を採用すると、例えば硬貨コンテナ袋１６をレール部４０にセットする際に、細かな位置合わせで硬貨コンテナ袋１６を動かした場合に、ロック部レバー５０がレバー押込部５１に当接して、意図せずにシャッタ４６が閉状態をとる可能性も否めない。しかし、本例の場合には、シャッタ４６が不意に閉状態をとったとしても、これを硬貨収納先として使用せずに、他の正常な硬貨コンテナ袋１６に硬貨収納先が飛ばされるので、シャッタ４６に機械式施錠構造を採用しても、大きな問題はない。よって、正常な硬貨収納先の確保と、シャッタ４６の施錠構造の簡素化との両立を図ることができる。
【００５４】
（３）硬貨コンテナ袋１６に位置決め穴５７と位置決め突部５８とを設け、下側案内レール４１に奥側硬貨コンテナ袋１６ａ，１６ａを２つセットしてしまった際には、位置決め突部５８が位置決め穴５７に入らずに、この突部５８の分だけ硬貨コンテナ袋１６が硬貨用金庫収納室１７から飛び出して、硬貨用金庫収納室扉１８を閉め切ることができなくなる。よって、下側案内レール４１に誤って奥側硬貨コンテナ袋１６ａを２つセットしてしまった際に、硬貨用金庫収納室扉１８を閉じ切ることができないことを以て、セット間違いをユーザに通知することが可能となるので、硬貨コンテナ袋１６のセット間違いを防止することができる。
【００５５】
（４）シャッタ４６の開閉状態は、例えばフォトカプラ等からなるシャッタ開閉検出センサ５９によって、精算機本体１０側から間接的に見る方式を採用した。このため、もし仮に硬貨コンテナ袋１６側でシャッタ開閉状態を見る方式を採用すると、レール部４０に硬貨コンテナ袋１６をセットした際、このシャッタ開閉信号を精算機本体１０側に送るために、これら両者を電気的に接続する必要が生じ、これら部品が複雑化する懸念に繋がる。しかし、本例のように精算機本体１０側からシャッタ４６の開閉状態を間接的に見るようにすれば、精算機本体１０と硬貨コンテナ袋１６とを電気的に接続する必要がないので、これら部品の簡素化を図ることができる。
【００５６】
（第２実施形態）
次に、第２実施形態を新たに図１４〜図１６を用いて説明する。なお、第２実施形態は、硬貨コンテナ袋１６のセット不良を確認したときの対処動作が第１実施形態と異なるのみで、それ以外の基本的な構成は同じである。よって、本例は、第１実施形態と同一部分については同一符号を付して詳しい説明を省略し、異なる部分のみ詳述する。
【００５７】
図１３に示す券銭分離制御部６８は、シャッタ開閉検出センサ５９及び硬貨コンテナ袋セット検出センサ６３から取得する検出信号や、入力部６５を操作して登録された設定数を基に、硬貨コンテナ袋１６のセット不良の有無を確認する。なお、硬貨用金庫収納室１７に硬貨コンテナ袋１６をセットしつつ入力部６５で設定数を選択登録した際には、その設定画面として図１２に示すような動作画面７０が表示部６４に表示される。この動作画面７０は、本例において最大セット可能数である８個の硬貨コンテナ袋１６のそれぞれの表示枠が用意された表示プレート７３が含まれ、しかもセット位置にあるコンテナ絵柄７４が色や装飾等により強調表示された画面となっている。
【００５８】
ここで、例えば登録設定数に準じた規定位置（レール部４０の奥位置又は手前位置）にセットされ、しかもシャッタ４６が開状態をとっている硬貨コンテナ袋１６は、正常状態として処理される。また、納金完了又は強制切り換えの際に硬貨収納先切換動作によって次のものに送られてしまった硬貨コンテナ袋１６は、使用済みとして処理される。さらに、登録設定数に準じた規定位置にセットされているが、例えばシャッタ４６が閉状態をとって使用することができない硬貨コンテナ袋１６は、使用不可として処理される。また登録設定数に準じた規定位置にセットされず、使用することがない硬貨コンテナ袋１６は、設定数外セットとして処理される。
【００５９】
券銭分離制御部６８は、硬貨用金庫収納室１７（各レール部４０）にセットされた硬貨コンテナ袋１６の現在状態を確認し、この現在状態を通信電文によりメイン制御部６６を介して表示制御部６９に出力する。なお、通信電文とは、券銭分離制御部６８が通常の動作の際にメイン制御部６６と通信を行うとき、通常動作で送り渡すデータ群にセット状態通知用データを付加して送ることで、券銭分離制御部６８がメイン制御部６６に硬貨コンテナ袋１６のセット状態を通知する形式のことを言う。そして、表示制御部６９は、この通信電文を解析し、各硬貨コンテナ袋１６の現在状態を表示部６４に表示する。
【００６０】
例えば、本例の場合、正常状態をとる硬貨コンテナ袋１６のコンテナ絵柄７４は、図１２に示すように、コンテナ絵柄の輪郭枠が白抜きとなった絵柄７４ａで表示される。また、使用済みの硬貨コンテナ袋１６のコンテナ絵柄７４は、図１４に示すように、コンテナ絵柄の輪郭枠が黒く塗りつぶされた絵柄７４ｂで表示される。さらに、使用不可の硬貨コンテナ袋１６のコンテナ絵柄７４は、図１５に示すように、コンテナ絵柄に斜めの斜線が上書きされた絵柄７４ｃで表示される。また、設定数階セットの硬貨コンテナ袋１６のコンテナ絵柄７４は、図１６に示すように、コンテナ絵柄全体が数字を残して黒く塗りつぶされた表示体７４ｄで表示される。なお、表示部６４に硬貨コンテナ袋１６の現在状態を表示する通知動作が対処動作を構成する。
【００６１】
よって、本例においては、精算機８の表示部６４に、硬貨コンテナ袋１６の各々の現在状態が絵柄種別によって表示されるので、硬貨コンテナ袋１６にセット不良が生じていることを、表示部６４によってユーザに通知して、これをユーザに気付かせることが可能となる。このため、このセット不良の解消作業をユーザに実行させることが可能となるので、硬貨の収納ミスを発生し難くすることが可能となる。また、この表示はセット不良の内容に応じたコンテナ絵柄で表示されるので、硬貨コンテナ袋１６にどのような種類のセット不良が生じているのかを通知することが可能となる。
【００６２】
本実施形態の構成によれば、第１実施形態の（３）及び（４）に記載の硬貨に加え、以下に記載の効果を得ることができる。
（５）硬貨コンテナ袋１６のセット不良が発生した際には、表示部６４にその旨が表示されるので、セット不良が発生していることをユーザに気付かせることが可能となる。このため、このセット不良の解消をユーザに実行させることが可能となるので、硬貨の収納ミスを発生し難くすることができる。
【００６３】
（６）各硬貨コンテナ袋１６の現在状態（セット状態等）を券銭分離制御部６８からメイン制御部６６を介して表示制御部６９に送り渡す際には、これを通信電文に包括して券銭分離制御部６８から表示制御部６９に転送する。このため、硬貨コンテナ袋１６の現在状態の通知を、他の通信を利用して表示制御部６９に送ることが可能となるので、硬貨コンテナ袋１６の現在状態を表示制御部６９に通知するための新たな通信を用意せずに済む。
【００６４】
なお、実施形態はこれまでに述べた構成に限らず、以下の態様に変更してもよい。
・  第１及び第２実施形態において、監視対象とするセット不良は、必ずしもシャッタ４６が不正に閉じ状態となっていることや、設定数に準じた位置に硬貨コンテナ袋１６が取り付けられていないことなどに限定されない。例えば、硬貨コンテナ袋１６が規定位置に正確にセットされたか否かをセット不良として検出するものでもよい。
【００６５】
・  第１及び第２実施形態において、セット不良を検出したときに実行する対処動作は、必ずしも硬貨収納先をシャッタ４６が閉じていない硬貨コンテナ袋１６に飛ばす動作や、表示部６４にその旨を絵柄等により表示する動作に限定されない。例えば、精算機８の動作を強制停止したり、或いは警告ブザーが鳴ったりするものでもよい。
【００６６】
・  第１及び第２実施形態において、硬貨コンテナ袋１６の次の収納先が正常か否か確認する方式は、例えば硬貨コンテナ袋１６が満杯になって次の収納先に切り換わるときに、隣の硬貨コンテナ袋１６のシャッタ４６が開状態をとっているのかを、そのときに確認する方式に限定されない。例えば、精算機８が起動状態（硬貨回収開始）をとった際に、セット状態にある全ての硬貨コンテナ袋１６のシャッタ開閉状態を確認しにいき、回収動作前に予め硬貨コンテナ袋１６の開閉状態を把握する方式をとってもよい。
【００６７】
・  第２実施形態において、表示部６４でセット不良を通知する場合、これはコンテナを表した絵柄７４で表示することに限定されず、例えば単なるメッセージ表示としてもよい。
【００６８】
・  第１及び第２実施形態において、回収物は必ずしも硬貨に限定されず、例えば紙幣や券類としてもよい。
・  第１及び第２実施形態において、硬貨コンテナ袋１６の扉部は、必ずしも開閉がスライド式をとるシャッタ４６に限定されず、扉部の一辺を支点に扉部が回る回動式としてもよい。
【００６９】
・  第１及び第２実施形態において、硬貨コンテナ袋１６は、精算機本体１０から外すときに、その外し操作に連動してシャッタ４６が自動的に閉まる機械式に限定されない。例えば、精算機本体１０からの硬貨コンテナ袋１６の抜き取り操作をセンサ等で検出すると、例えば硬貨コンテナ袋１６に内蔵されたモータ等によりシャッタ４６を閉状態にして、電気的にシャッタ４６を閉状態に切り換える電気式でもよい。
【００７０】
・  第１及び第２実施形態において、シャッタ開閉検出センサ５９や硬貨コンテナ袋セット検出センサ６３は、必ずしも光学式に限定されず、例えば磁気式等の他の種類のものを採用してもよい。
【００７１】
・  第１及び第２実施形態において、シャッタ４６の開閉は、必ずしも精算機本体１０側から監視するものに限定されず、例えば硬貨コンテナ袋１６にセンサを設けて、硬貨コンテナ袋１６側でシャッタ開閉を監視するものでもよい。なお、この場合には、硬貨コンテナ袋１６からシャッタ開閉状態信号を精算機本体１０に送る必要が生じるので、硬貨コンテナ袋１６と精算機本体１０とを電気的に接続する必要が生じる。
【００７２】
・  第１及び第２実施形態において、各々の実施形態の思想を組み合わせた構成としてもよい。
・  第１及び第２実施形態において、硬貨収納先切換機構３２のアクチュエータは、必ずしもモータ３５に限定されず、油圧シリンダ等の他の種類のものを採用してもよい。
【００７３】
・  第１及び第２実施形態において、硬貨収納部は、必ずしもその精算機本体１０への取り付け形式がレール式をとることに限定されず、例えば収納袋が台車の上に並んだ台車式でもよい。
【００７４】
・  第１及び第２実施形態において、精算機８に硬貨計数装置を組み込み、運賃箱金庫２から得る金庫データからだけではなく、精算機８に投入される硬貨をこの硬貨計数装置で計数することで、硬貨枚数や硬貨金額を実際に割り出すようにしてもよい。
【００７５】
・  第１及び第２実施形態において、本例の現金回収装置は、運賃箱金庫２に収められた運賃や券類を回収するものに限らず、運賃箱金庫２以外の他の金庫類の収納物を一括回収するものに採用してもよい。
【００７６】
次に、上記実施形態及び別例から把握できる技術的思想について、それらの効果とともに以下に追記する。
（１）請求項２又は３において、前記扉部は、前記回収物収納部をその取付部から取り外す際に、その取り外し過程で開状態のロックが機械的に外れて閉動作が実行される機械式である。この場合、扉部の開閉構造を機械式という簡素なものとすることが可能となり、部品コストも低く抑えることが可能となる。
【００７７】
（２）請求項２又は３、前記技術的思想（１）において、前記扉部は、閉状態となった際に施錠状態となる。この構成によれば、回収物収納部に収納された回収物の盗難防止を図ることが可能となる。
【図面の簡単な説明】
【００７８】
【図１】第１実施形態における精算機及び運賃箱を示す斜視図。
【図２】精算機の概略構成を示す構成図。
【図３】硬貨収納先切換機構の概略構成を示す斜視図。
【図４】硬貨用金庫収納室の室内を示す斜視図。
【図５】硬貨用金庫収納室から端の硬貨コンテナ袋を取り出したときの斜視図。
【図６】奥側硬貨コンテナ袋がセットされたレール部を示す模式斜視図。
【図７】手前側から見た奥側硬貨コンテナ袋を示す斜視図。
【図８】奥側から見た奥側硬貨コンテナ袋を示す斜視図。
【図９】手前側から見た手前側硬貨コンテナ袋を示す斜視図。
【図１０】奥側から見た手前側硬貨コンテナ袋を示す斜視図。
【図１１】奥と手前の硬貨コンテナ袋の取り付け時の位置関係を説明する模式図。
【図１２】精算機の表示部及び入力部の外観を示す模式図。
【図１３】精算機の電気構成を示すブロック図。
【図１４】第２実施形態において表示部に表示される硬貨コンテナ袋の絵柄の一例を示す例示図。
【図１５】表示部に表示される硬貨コンテナ袋の絵柄の他の一例を示す例示図。
【図１６】表示部に表示される硬貨コンテナ袋の絵柄の他の一例を示す例示図。
【符号の説明】
【００７９】
１…運賃箱、２（２ａ，２ｂ）…運賃箱金庫、８…現金回収装置としての精算機、９（９ａ，９ｂ）…取り付け先としての運賃箱金庫収納室、１６（１６ａ，１６ｂ）…回収物収納部としての硬貨コンテナ袋、４５…入口としての袋入口、４６…扉部としてのシャッタ、５９…監視手段を構成するシャッタ開閉検出センサ、６４…通知手段としての表示部、６６…制御手段を構成するメイン制御部、６８…監視手段及び制御手段を構成する券銭分離制御部、６９…制御手段を構成する表示制御部。
【図１】
2010079543.tif 000003
【図２】
2010079543.tif 000004
【図３】
2010079543.tif 000005
【図４】
2010079543.tif 000006
【図５】
2010079543.tif 000007
【図６】
2010079543.tif 000008
【図７】
2010079543.tif 000009
【図８】
2010079543.tif 000010
【図９】
2010079543.tif 000011
【図１０】
2010079543.tif 000012
【図１１】
2010079543.tif 000013
【図１２】
2010079543.tif 000014
【図１３】
2010079543.tif 000015
【図１４】
2010079543.tif 000016
【図１５】
2010079543.tif 000017
【図１６】
2010079543.tif 000018